(57)【要約】【課題】移動可能な端末装置との間でミリ波高速無線通信を行う際に、通信方向が固定された複数のアンテナを用いて無線通信を行う場合と比較して、少ない数のアンテナにより位置が特定されていない端末装置との間での無線通信を可能とする。【解決手段】無線通信部１４は、アンテナ３６を使用して、ＷｉＧｉｇ回線により端末装置２０との間で無線送受信を行う。アンテナ方向変更装置１７は、制御部３１により制御されて、アンテナ３６の方向（最大ゲイン方向）を機械的に変更するための構造を有する。制御部３１は、アンテナ方向変更装置１７によりアンテナ３６の向きを連続的に変化させることにより通信相手となる端末装置２０の方向を特定し、特定した方向にアンテナ３６が向くようアンテナ方向変更装置１７を制御する。【選択図】図３
2018164175.tif 000002
【特許請求の範囲】
【請求項１】
ミリ波高速無線通信を行うためのアンテナと、
前記アンテナの向きを変更する変更手段と、
前記変更手段により前記アンテナの向きを連続的に変化させることにより通信相手となる端末装置の方向を特定し、特定した該方向に前記アンテナが向くよう前記変更手段を制御する制御手段と、
前記アンテナを使用して、ミリ波高速無線通信により端末装置との間で無線送受信を行う無線送受信手段と、
を備えた無線通信システム。
【請求項２】
端末装置の位置を推定する位置推定手段をさらに備え、
前記制御手段は、前記位置推定手段により推定された位置に前記アンテナが向くよう前記変更手段を制御する請求項１記載の無線通信システム。
【請求項３】
前記位置推定手段は、前記端末装置が移動する領域内に設けられた複数の通信装置における前記端末装置との間の通信強度により当該端末装置の位置を推定する請求項２記載の無線通信システム。
【請求項４】
前記無線送受信手段による前記端末装置との間のミリ波高速無線通信の通信強度を測定する測定手段をさらに備え、
前記制御手段は、前記測定手段により測定された通信強度が大きくなるように前記変更手段を制御して前記アンテナの向きを変更する請求項１から３のいずれか記載の無線通信システム。
【請求項５】
前記制御手段は、前記アンテナが設置された領域内の予め設定された経路の方向に前記アンテナが順次向くよう前記変更手段を制御する請求項１から４のいずれか記載の無線通信システム。
【請求項６】
前記アンテナが設置された領域が会議室であり、
前記制御手段は、会議室内の机の配置に対応した経路の方向に前記アンテナが順次向くよう前記変更手段を制御する請求項５記載の無線通信システム。
【請求項７】
前記アンテナが複数設置され、
前記制御手段は、一の端末装置と一のアンテナが無線送受信をしている際、より通信距離が短くなる端末装置とアンテナとの組み合わせを発見した場合、前記一の端末又は前記一のアンテナを他の端末装置又は他のアンテナに切り替えるよう制御する請求項１から６のいずれか記載の無線通信システム。
【請求項８】
ミリ波高速無線通信を行うためのアンテナの向きを連続的に変化させることにより通信相手となる端末装置の方向を特定するステップと、
特定した該方向に前記アンテナが向くようアンテナの向きを制御する制御ステップと、
前記アンテナを使用して、ミリ波高速無線通信により端末装置との間で無線送受信を行う無線送受信ステップとをコンピュータに実行させるためのプログラム。
【発明の詳細な説明】
【技術分野】
【０００１】
本発明は、無線通信システムおよびプログラムに関する。
【背景技術】
【０００２】
特許文献１には、Ｂｌｕｅｔｏｏｔｈ（登録商標）通信規格に基づく無線通信によりサーバとクラインと端末間でデータの送受信を行う電子会議システムが開示されている。
【０００３】
特許文献２には、大容量のデータを予めＨＤＤ（Hard Disc Drive）等の可搬型記録媒体に格納して各診療端末に配布しておくようにした連携診療支援装置が開示されている。
【先行技術文献】
【特許文献】
【０００４】
【特許文献１】特開２００４−０４８２８０号公報
【特許文献２】特開２００４−１６７２６６号公報
【発明の概要】
【発明が解決しようとする課題】
【０００５】
本発明の目的は、移動可能な端末装置との間でミリ波高速無線通信を行う際に、通信方向が固定された複数のアンテナを用いて無線通信を行う場合と比較して、少ない数のアンテナにより位置が特定されていない端末装置との間での無線通信を可能とする無線通信システムおよびプログラムを提供することである。
【課題を解決するための手段】
【０００６】
［無線通信システム］
請求項１に係る本発明は、ミリ波高速無線通信を行うためのアンテナと、
前記アンテナの向きを変更する変更手段と、
前記変更手段により前記アンテナの向きを連続的に変化させることにより通信相手となる端末装置の方向を特定し、特定した該方向に前記アンテナが向くよう前記変更手段を制御する制御手段と、
前記アンテナを使用して、ミリ波高速無線通信により端末装置との間で無線送受信を行う無線送受信手段とを備えた無線通信システムである。
【０００７】
請求項２に係る本発明は、端末装置の位置を推定する位置推定手段をさらに備え、
前記制御手段は、前記位置推定手段により推定された位置に前記アンテナが向くよう前記変更手段を制御する請求項１記載の無線通信システムである。
【０００８】
請求項３に係る本発明は、前記位置推定手段が、前記端末装置が移動する領域内に設けられた複数の通信装置における前記端末装置との間の通信強度により当該端末装置の位置を推定する請求項２記載の無線通信システムである。
【０００９】
請求項４に係る本発明は、前記無線送受信手段による前記端末装置との間のミリ波高速無線通信の通信強度を測定する測定手段をさらに備え、
前記制御手段は、前記測定手段により測定された通信強度が大きくなるように前記変更手段を制御して前記アンテナの向きを変更する請求項１から３のいずれか記載の無線通信システムである。
【００１０】
請求項５に係る本発明は、前記制御手段が、前記アンテナが設置された領域内の予め設定された経路の方向に前記アンテナが順次向くよう前記変更手段を制御する請求項１から４のいずれか記載の無線通信システムである。
【００１１】
請求項６に係る本発明は、前記アンテナが設置された領域が会議室であり、
前記制御手段は、会議室内の机の配置に対応した経路の方向に前記アンテナが順次向くよう前記変更手段を制御する請求項５記載の無線通信システムである。
【００１２】
請求項７に係る本発明は、前記アンテナが複数設置され、
前記制御手段は、一の端末装置と一のアンテナが無線送受信をしている際、より通信距離が短くなる端末装置とアンテナとの組み合わせを発見した場合、前記一の端末又は前記一のアンテナを他の端末装置又は他のアンテナに切り替えるよう制御する請求項１から６のいずれか記載の無線通信システムである。
【００１３】
請求項８に係る本発明は、ミリ波高速無線通信を行うためのアンテナの向きを連続的に変化させることにより通信相手となる端末装置の方向を特定するステップと、
特定した該方向に前記アンテナが向くようアンテナの向きを制御する制御ステップと、
前記アンテナを使用して、ミリ波高速無線通信により端末装置との間で無線送受信を行う無線送受信ステップとをコンピュータに実行させるためのプログラムである。
【発明の効果】
【００１４】
請求項１に係る本発明によれば、移動可能な端末装置との間でミリ波高速無線通信を行う際に、通信方向が固定された複数のアンテナを用いて無線通信を行う場合と比較して、少ない数のアンテナにより位置が特定されていない端末装置との間での無線通信を可能とする無線通信システムを提供することができる。
【００１５】
請求項２に係る本発明によれば、端末装置の位置を探索する場合と比較して、短時間で端末装置の位置を特定することが可能な無線通信システムを提供することができる。
【００１６】
請求項３に係る本発明によれば、端末装置の位置を探索する場合と比較して、短時間で端末装置の位置を特定することが可能な無線通信システムを提供することができる。
【００１７】
請求項４に係る本発明によれば、通信中の端末装置が移動した場合でも、端末装置の位置を追尾して通信を継続することが可能な無線通信システムを提供することができる。
【００１８】
請求項５に係る本発明によれば、アンテナが設置された領域内を均一に探索する場合と比較して、効率的に通信可能な端末装置を探索することが可能な無線通信システムを提供することができる。
【００１９】
請求項６に係る本発明によれば、アンテナが設置された領域内を均一に探索する場合と比較して、効率的に通信可能な端末装置を探索することが可能な無線通信システムを提供することができる。
【００２０】
請求項７に係る本発明によれば、複数のアンテナを用いて複数の移動可能な端末装置との間でミリ波高速無線通信を行う際に、通信距離が短くなる端末装置とアンテナの組み合わせとなるような切り替えることが可能な無線通信システムを提供することができる。
【００２１】
請求項８に係る本発明によれば、移動可能な端末装置との間でミリ波高速無線通信を行う際に、通信方向が固定された複数のアンテナを用いて無線通信を行う場合と比較して、少ない数のアンテナにより位置が特定されていない端末装置との間での無線通信を可能とするプログラムを提供することができる。
【図面の簡単な説明】
【００２２】
【図１】本発明の一実施形態の医療会議システムを用いた医療会議の様子の一例を示す図である。
【図２】本発明の一実施形態における医療会議システム１０のハードウェア構成を示すブロック図である。
【図３】本発明の一実施形態における医療会議システム１０の機能構成を示すブロック図である。
【図４】アンテナ３６とアンテナ方向変更装置１７により構成されるアンテナ装置４０の外観の一例を示す図である。
【図５】図４に示したアンテナ装置４０のカバーを外した状態を示す図である。
【図６】本発明の一実施形態の医療会議システム１０における、端末装置２０を探索するためのサーチ動作を説明するためのフローチャートである。
【図７】アンテナ３６の方向を連続的に変化する際の走査パターン例１を示す図である。
【図８】アンテナ３６の方向を連続的に変化する際の走査パターン例２を示す図である。
【図９】アンテナ装置４０のアンテナ３６の向きが端末装置２０が存在する方向となった状態で停止する様子を説明するための図である。
【図１０】接続中であった端末装置２０が移動した場合における、医療会議システム１０の追尾動作を説明するためのフローチャートである。
【図１１】端末装置２０を所持したユーザが移動した場合に、アンテナ装置４０のアンテナ３６の方向を端末装置２０に向け続けるような制御が行われる様子を説明するための図である。
【図１２】２つのアンテナ装置４０ａ、４０ｂが設置されている際に通信の切り替え制御が行われる様子を説明するための図である。
【図１３】端末装置２０においてＷｉＧｉｇ通信が行われていることをユーザに知らせるための方法を説明するための図である。
【発明を実施するための形態】
【００２３】
次に、本発明の実施の形態について図面を参照して詳細に説明する。
【００２４】
先ず、本発明の一実施形態の医療会議システムを用いた医療会議の様子の一例を図１に示す。図１では、会議室の前方に大画面のディスプレイが設置されており、この大画面のディスプレイ上に患者の各種医療画像を（医用画像）表示して複数の医師により医療診断が行われる様子が示されている。
【００２５】
しかし、１つのディスプレイだけでは画像を見ることのできる医師の数に制限があり、医療会議に参加する医師の数が多くなると画像に近寄って確認できない者が発生してしまう。また、近年ではタブレット端末等の移動可能な各種の端末装置が普及している。そのため、このような移動可能な端末装置に医療診断用の画像データを転送して、それぞれの医師が手元で参照することができれば各医師が気になる部位等の確認をそれぞれ行うことが可能となり、結果として会議の時間短縮や診断の精度向上が図られることが期待される。
【００２６】
しかし、上記のような医療診断に用いられる医療画像としては、ＭＲＩ（magnetic resonance imaging：核磁気共鳴画像法）画像、レントゲン画像、ＣＴ（Computed Tomography：コンピュータ断層撮影）画像等のさまざまな画像が用いられる。
【００２７】
そして、これらの画像としては解像度が高い高画質・高精細のものが使用されており、通常の画像データと比較して膨大なデータ量となっている。そのため、従来の無線ＬＡＮ（Local Area Network）を利用して画像データを端末装置に転送しようとすると、転送時間が長くなり、円滑に会議を進行させることができなくなることもあり得る。また、端末装置に転送する画像の解像度を落としてデータ量を少なくしたのでは、診断精度が低下する可能性があるため許容することができない。
【００２８】
そこで、本実施形態の医療会議システムでは、ＷｉＧｉｇ（登録商標）と呼ばれるミリ波高速無線通信を利用して端末装置に医療画像データを転送するようにしている。
【００２９】
しかし、このＷｉＧｉｇ（Wireless Gigabit）無線通信では、搬送周波数として６０ＧＨｚという高い周波数の電波を用いるため、送信電波の直進性が高いため指向性が鋭いため、広範囲の端末装置との通信を行うことができない。そのため、会議室内の様々な場所に存在する端末装置にデータを転送可能とするためには、数多くのアンテナを設置する必要がある。
【００３０】
そこで、本実施形態の医療会議システムでは、電波の送受信方向を変更することが可能なアンテナ装置を天井に設置することにより、少ない数のアンテナにより位置が特定されていない端末装置との間での無線通信を可能とする。
【００３１】
図１には、本発明の医療会議システムを用いた医療会議が行われている様子が示されている。この医療会議に参加している各医師には移動可能なタブレット端末のような端末装置２０がそれぞれ配布されている。そして、天井にはアンテナ装置４０が設置されている。各端末装置２０は、アンテナ装置４０から送信される電波を受信することによりＷｉＧｉｇ無線通信を行って、医療画像データを受信する。
【００３２】
次に、本実施形態の医療会議システム１０のハードウェア構成を図２を参照して説明する。
【００３３】
医療会議システム１０は、図２に示されるように、ＣＰＵ１１、メモリ１２、ハードディスクドライブ（ＨＤＤ）等の記憶装置１３、ＷｉＧｉｇ通信規格に基づく無線通信を行う無線通信部１４、Ｂｌｕｅｔｏｏｔｈ通信規格に基づく無線通信を行う無線通信部１５と、タッチパネル又は液晶ディスプレイ並びにキーボードを含むユーザインタフェース（ＵＩ）装置１６、アンテナ方向を変更するための機構であるアンテナ方向変更装置１７を有する。これらの構成要素は、制御バス１８を介して互いに接続されている。
【００３４】
ＣＰＵ１１は、メモリ１２または記憶装置１３に格納された制御プログラムに基づいて所定の処理を実行して、医療会議システム１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３５】
図３は、上記の制御プログラムが実行されることにより実現される医療会議システム１０の機能構成を示すブロック図である。
【００３６】
本実施形態の医療会議システム１０は、図３に示されるように、無線通信部（ＷｉＧｉｇ）１４と、無線通信部（Ｂｌｕｅｔｏｏｔｈ）１５と、アンテナ方向変更装置１７と、制御部３１と、通信強度測定部３２と、位置推定部３４と、医療データ格納部３５と、ミリ波高速無線通信であるＷｉＧｉｇ無線通信を行うためのアンテナ３６とを備えている。
【００３７】
アンテナ方向変更装置１７は、制御部３１により制御されて、アンテナ３６の方向（最大ゲイン方向）を機械的に変更するための構造を有する。
【００３８】
このアンテナ３６とアンテナ方向変更装置１７とにより、図４に示すようなアンテナ装置４０が構成される。図４では、このアンテナ装置４０が天井に設置された様子が示されている。
【００３９】
そして、このアンテナ装置４０のカバーを外した状態を図５に示す。この図５では、アンテナ方向変更装置１７がアンテナ３６を前後左右の３６０度方向に機械的に傾けることにより、アンテナ３６の向きを変更する様子が示されている。
【００４０】
そして、制御部３１は、アンテナ方向変更装置１７によりアンテナ３６の向きを連続的に変化させることにより通信相手となる端末装置２０の方向を特定し、特定した方向にアンテナ３６が向くようアンテナ方向変更装置１７を制御する。具体的には、制御部３１は、アンテナ方向変更装置１７によりアンテナ３６の向きを連続的に変化させながら問合せパケットを送信し、この問合せパケットを受信した端末装置２０からの返信パケットを受信するとアンテナ方向変更装置１７によるアンテナ３６の向き変更を停止させてデータの送受信を行う。
【００４１】
無線通信部１４は、アンテナ３６を使用して、ＷｉＧｉｇ回線により端末装置２０との間で無線送受信を行う。
【００４２】
無線通信部１５は、例えば２．４ＧＨｚの無線周波数を用いたＢｌｕｅｔｏｏｔｈ通信により端末装置２０との間でデータの送受信を行う。なお、このＢｌｕｅｔｏｏｔｈ通信を行う無線通信部１５のアンテナもアンテナ装置４０内に設置するようにしても良い。
【００４３】
位置推定部３４は、この無線通信部１５を介したＢｌｕｅｔｏｏｔｈ通信により端末装置２０から、会議室内に設置された複数のビーコン装置における端末装置２０との間の通信強度（電波の受信強度）の情報を受信する。そして、位置推定部３４は、この端末装置２０と複数のビーコン装置との間の通信強度の情報から、会議室内の端末装置２０の位置を推定する。なお、ビーコン装置との通信強度だけでなく、赤外線通信における受信強度や、Ｂｌｕｅｔｏｏｔｈ通信における受信強度等を利用して端末装置２０の位置推定を行うようにしても良い。
【００４４】
このように位置推定部３４により端末装置２０の位置推定が行われた場合、制御部３１は、位置推定部３４により推定された位置にアンテナ３６が向くようアンテナ方向変更装置１７を制御する。
【００４５】
通信強度測定部３２は、無線通信部１４による端末装置２０との間のＷｉＧｉｇ通信の通信強度を測定する。
【００４６】
そして、制御部３１は、通信強度測定部３２により測定された通信強度が大きくなるようにアンテナ方向変更装置１７を制御してアンテナ３６の向きを変更する。
【００４７】
なお、位置推定部３４により端末装置２０の位置推定が行われない場合には、制御部３１は、アンテナ３６が設置された会議室等の領域内の予め設定された経路の方向にアンテナ３６が順次向くようアンテナ方向変更装置１７を制御して、通信相手となる端末装置２０のサーチ（探索）を行う。
【００４８】
本実施形態では、アンテナ３６が設置された領域が会議室であるため、制御部３１は、会議室内の机の配置に対応した経路の方向にアンテナ３６が順次向くようアンテナ方向変更装置１７を制御する。
【００４９】
なお、本実施形態では、アンテナ３６が設置された領域が会議室の場合を用いて説明を行うが、本発明はこのような場合に限定されるものではなく、授業が行われる教室、各種セミナーが開催されている会場等の様々な場所においても同様に適用することが可能である。
【００５０】
次に、本実施形態の医療会議システム１０の動作を図面を参照して詳細に説明する。
【００５１】
先ず、本実施形態の医療会議システム１０における、端末装置２０を探索するためのサーチ動作を図６のフローチャートを参照して説明する。
【００５２】
医療会議システム１０が起動して動作を開始した場合、制御部３１は、アンテナ３６の方向の連続的な変更動作を開始する（ステップＳ１０１）。具体的には、制御部３１は、アンテナ３６の方向がその会議室の机の配置に対応した経路に向けて変化するようアンテナ方向変更装置１７を制御する。
【００５３】
このようにアンテナ３６の方向を連続的に変化する際の走査パターン例を図７、図８に示す。図７では、アンテナ方向の走査パターン例１が示されており、複数列に並べられた机をそれぞれ順次探索するような探索パターン例が示されている。また、図８では、アンテナ方向の走査パターン例２が示されており、１つの島状に配置された８つの机の上を順次楕円状に探索するような探索パターン例が示されている。これらの走査パターンは、例えば机の配置に連動して切り替えるように制御する切り替え制御部を別途設けて切替えてもよいし、手動で切替えるよう制御する切り替え制御部を別途設けて切替えてもよい。
【００５４】
そして、制御部３１は、このようにアンテナ３６の方向を変化させた探索動作を行いつつ、端末装置２０の存在を確認するための問い合わせパケットを、無線通信部１４を介してアンテナ３６から送信する（ステップＳ１０２）。
【００５５】
ここで、制御部３１は、この問合せパケットを受信した端末装置２０から返信された返信パケットが受信されない場合（ステップＳ１０３においてｎｏ）、アンテナ３６の方向を変化させつつ問合せパケットの送信を継続する（ステップＳ１０２）。
【００５６】
そして、制御部３１は、この問合せパケットを受信した端末装置２０から返信された返信パケットが受信された場合（ステップＳ１０３においてｙｅｓ）、アンテナ３６の連続的な変更動作を停止させる（ステップＳ１０４）。そのため、図９に示すように、アンテナ装置４０のアンテナ３６の向きは端末装置２０が存在する方向となった状態となる。
【００５７】
その後、制御部３１は、医療データ格納部３５に格納された医療データの中から、端末装置２０により要求された医療データを読み出して無線通信部１４、アンテナ３６を介してＷｉＧｉｇ通信により端末装置２０に送信する（ステップＳ１０５）。この際に画像閲覧が可能となる時間を短縮するために、ストリーミング方式で画像データを端末装置２０に送信する。
【００５８】
次に、無線通信を行うことにより接続中であった端末装置２０が移動した場合における、医療会議システム１０の追尾動作を図１０のフローチャートを参照して説明する。
【００５９】
制御部３１は、端末装置２０との間でデータの送受信を行っている最中において（ステップＳ２０１）、通信強度測定部３２により測定された通信強度を監視することにより端末装置２０が移動しているか否かを判定している（ステップＳ２０２）。
【００６０】
そして、端末装置２０との無線通信における通信強度が変化したことにより端末装置２０の移動を検出した場合（ステップＳ２０２においてｙｅｓ）、制御部３１は、アンテナ変更装置１７を制御してアンテナ３６の方向を変更して端末装置２０の追尾動作を行う（ステップＳ２０３）。
【００６１】
具体的には、制御部３１は、通信強度測定部３２により測定される通信強度が大きくなるようにアンテナ３６の方向を変更することにより、アンテナ３６の方向が端末装置２０に向くような制御を行う。
【００６２】
このような制御が行われることにより、例えば図１１に示されるように、端末装置２０を所持したユーザが移動した場合でも、アンテナ装置４０のアンテナ３６の方向を端末装置２０に向け続けるような制御が実現される。
【００６３】
そして、制御部３１は、通信強度が変化しなくなったことにより端末装置２０の移動停止を検出すると（ステップＳ２０４においてｙｅｓ）、アンテナ方向の変更動作を停止して追尾動作を終了する（ステップＳ２０５）。
【００６４】
なお、ある端末装置２０を追尾中にその端末装置２０との通信が途絶えたような場合には、制御部３１は、その端末装置２０との通信を終了して、通信可能な他の端末装置２０の探索を行うようにする。
【００６５】
上記で説明した本実施形態では、説明を簡単にするために１つの会議室内に１つのアンテナ装置４０が設置されている場合を用いて説明したが、会議室の広さ、会議に参加する参加者の数等に応じて設置するアンテナ装置４０の数を増やすようにしても良い。
【００６６】
このように複数のアンテナ装置４０が設置された場合、制御部３１は、アンテナ装置４０をそれぞれ制御して近くに存在する端末装置２０との間で通信が行われるような制御を行う。しかし、複数の端末装置２０が移動しつつアンテナ装置４０との間でデータ送受信を行うような場合、アンテナ装置４０端末装置２０の移動に伴って上記で説明したような追尾動作を行うと通信距離が長くなり、他のアンテナ装置４０と通信を行った方が通信距離が短くなり、通信経路に入り込む人や物等の障害物による通信障害に効果的な場合が発生し得る。
【００６７】
そのため、制御部３１は、一の端末装置２０と一のアンテナ装置４０（アンテナ３６）が無線送受信をしている際、より通信距離が短くなる端末装置２０とアンテナ装置４０との組み合わせを発見した場合、この一の端末又は一のアンテナ装置４０を他の端末装置２０又は他のアンテナ装置４０に切り替えるよう制御するようにしても良い。
【００６８】
例えば、図１２（Ａ）に示すように、２つのアンテナ装置４０ａ、４０ｂが天井に設置されており、アンテナ装置４０ａと端末装置２０ａとの間で通信が行われている場合を用いて説明する。
【００６９】
この図１２（Ａ）に示した状態において、端末装置２０ｂが後からアンテナ装置４０ａの直下に移動してきたようない場合、図１２（Ｂ）に示すように、アンテナ装置４０ａは端末装置２０ｂとの間で通信を行い、アンテナ装置４０ｂは端末装置２０ａとの間で通信を行うような切り替えが行われる。
【００７０】
なお、図１２（Ａ）に示すような状態において、端末装置２０ｂが後から移動してこない場合でも、端末装置２０ａとアンテナ装置４０ｂとの間で通信が行われるような切り替え制御が行われることにより通信距離の短縮化が図られることになる。
【００７１】
また、端末装置２０においてＷｉＧｉｇ通信が行われていることをユーザに知らせるために、例えば図１３に示すように、画面上にアイコン５１を表示するようにしても良いし、ＬＥＤ５２を点灯させるようにしても良い。
【００７２】
また、会議室内において端末装置２０を探索するためのアンテナの走査パターンは、会議室内の机のレイアウト、設置するアンテナ装置４０の数、着席する場所の参加者の重要度・役職等により変更できるようにするようにしても良い。
【００７３】
さらに、ある端末装置２０との通信中にその端末装置２０の移動が検出された場合にその端末装置２０を追尾せずに、通信可能な他の端末装置２０又は他のアンテナ装置を探索するようにしても良いし。あるいは、ある端末装置２０との通信中にその端末装置２０の移動が検出された場合に、その端末装置２０を追尾するか、その端末装置２０追尾せずに通信可能な他の端末装置２０又は他のアンテナ装置を探索するかを切替えできるようにしても良い。
【００７４】
[変形例]
上記実施形態では、医療関係者が保持する携帯端末装置に医療画像データ等のデータを送信する医療会議システムに対して本発明を適用した場合を用いて説明したが、本発明はこれに限定されるものではない。大容量のデータを携帯端末装置に送信するような無線通信システムであれば同様に本発明を適用することができるものである。
【符号の説明】
【００７５】
１０    医療会議システム
１１    ＣＰＵ
１２    メモリ
１３    記憶装置
１４    無線通信部（ＷｉＧｉｇ）
１５    無線通信部（Ｂｌｕｅｔｏｏｔｈ）
１６    ユーザインタフェース（ＵＩ）装置
１７    アンテナ方向変更装置
１８    制御バス
２０、２０ａ、２０ｂ    端末装置
３１    制御部
３２    通信強度測定部
３４    位置推定部
３５    医療データ格納部
３６    アンテナ
４０、４０ａ、４０ｂ    アンテナ装置
５１    アイコン
５２    ＬＥＤ
【図１】
2018164175.tif 000003
【図２】
2018164175.tif 000004
【図３】
2018164175.tif 000005
【図４】
2018164175.tif 000006
【図５】
2018164175.tif 000007
【図６】
2018164175.tif 000008
【図７】
2018164175.tif 000009
【図８】
2018164175.tif 000010
【図９】
2018164175.tif 000011
【図１０】
2018164175.tif 000012
【図１１】
2018164175.tif 000013
【図１２】
2018164175.tif 000014
【図１３】
2018164175.tif 000015